(57)【要約】      （修正有）【課題】消費者に届けられる食品のトレーサビリティーを消費者が確認できる配送システム、及び、トレーサビリティー情報がタグ付けされた容器を提供する。【解決手段】生産された食品をトレーサビリティタグ付きＢＯＸ２３に収容して配送し、食品をユーザに届ける配送システム１は、トレーサビリティタグ付きＢＯＸ２３に食品に関するトレーサビリティー情報をタグ付けするための生産者３のスマホ５及びタグ部２５と、タグ付けされたトレーサビリティー情報を読み取って表示することができる消費者１１のスマホ１３及びタグ部２５とを備え、消費者１１は、届けられたトレーサビリティタグ付きＢＯＸ２３を開封して食品を受け取った際に、スマホ１３を用いて食品に関するトレーサビリティー情報を視認して、食品とトレーサビリティー情報との関係を確認できるものである。【選択図】図１
0003213027.tif 000002
【実用新案登録請求の範囲】
【請求項１】
生産された食品を容器に収容して配送し、前記食品をユーザに届ける配送システムにおいて、
前記容器に前記生産された食品に関するトレーサビリティー情報をタグ付けする手段と、
前記タグ付けされた前記トレーサビリティー情報を読み取って表示することができる読取表示手段とを備え、
前記ユーザは、届けられた前記容器を開封して前記食品を受け取った際に、前記読取表示手段を用いて前記食品に関するトレーサビリティー情報を視認して、前記食品と前記トレーサビリティー情報との関係を確認できる、配送システム。
【請求項２】
前記タグ付けはトレーサビリティー情報にアクセスするためのＱＲコード（登録商標）コードが用いられて行われ、
前記タグ付け手段は前記ＱＲコード（登録商標）コードが印刷されたシールをプリントアウトし、前記容器には前記シールが貼られるものである、請求項１記載の配送システム。
【請求項３】
前記トレーサビリティー情報は、スマートフォン内のアプリケーションを用いて書き込みと読み出しを行うことが可能であり、クラウドコンピューティングサーバに蓄えられるものである、請求項１又は２記載の配送システム。
【請求項４】
前記食品はハラール食品を含む、請求項１から３のいずれかに記載の配送システム。
【請求項５】
請求項１に記載の生産された食品に関するトレーサビリティー情報がタグ付けされた容器。
【考案の詳細な説明】
【技術分野】
【０００１】
本考案は、配送システム及び容器に関し、特に、生産された食品を容器に収容して配送し、食品をユーザに届ける配送システム及びその配送に用いられる容器に関する。
【背景技術】
【０００２】
一般に、食品の配送には、段ボール箱などの配送用の容器が用いられる。この段ボールに対して、強度を向上させるなどの構造的な工夫が行われている。また、スマート段ボールと言って、段ボール箱の追跡のために無線ＩＣタグを埋め込んだ段ボール箱のアイデアも生まれている（特許文献１）。
【先行技術文献】
【特許文献】
【０００３】
【特許文献１】特許第４７１７９２８号公報
【考案の概要】
【考案が解決しようとする課題】
【０００４】
しかしながら、上記の従来の技術は段ボール等の容器自体へのアイデアではあるが、容器に収容される内容物、特に食品との関係で工夫されたものではない。そのため、例えば、ハラール食品のように食品に対してどのような処理を施したかなどが厳密に管理される必要があるものについて、上記技術では、ユーザが、食品のトレーサビリティーを確認できるものではないという問題がある。
【０００５】
ゆえに、本考案は、上記事情に鑑みてなされたものであって、ユーザに届けられる食品のトレーサビリティーをユーザが確認できる配送システム及び容器を提供することを目的とする。
【課題を解決するための手段】
【０００６】
本考案の第１の観点は、生産された食品を容器に収容して配送し、前記食品をユーザに届ける配送システムにおいて、前記容器に前記生産された食品に関するトレーサビリティー情報をタグ付けする手段と、前記タグ付けされた前記トレーサビリティー情報を読み取って表示することができる読取表示手段とを備え、前記ユーザは、届けられた前記容器を開封して前記食品を受け取った際に、前記読取表示手段を用いて前記食品に関するトレーサビリティー情報を視認して、前記食品と前記トレーサビリティー情報との関係を確認できるものである。
【０００７】
本考案の第２の観点では、第１の観点において、前記タグ付けはトレーサビリティー情報にアクセスするためのＱＲコード（登録商標）コードが用いられて行われ、前記タグ付け手段は前記ＱＲコード（登録商標）コードが印刷されたシールをプリントアウトし、前記容器には前記シールが貼られるものである。
【０００８】
本考案の第３の観点では、第１又は第２の観点において、前記トレーサビリティー情報は、スマートフォン内のアプリケーションを用いて書き込みと読み出しを行うことが可能であり、クラウドコンピューティングサーバに蓄えられるものである。
【０００９】
本考案の第４の観点は、第１から第３の観点のいずれかにおいて、前記食品はハラール食品を含むものである。
【００１０】
本考案の第５の点は、第１の観点に記載の生産された食品に関するトレーサビリティー情報がタグ付けされた容器である。
【考案の効果】
【００１１】
本考案によれば、ユーザに届けられる食品のトレーサビリティーをユーザが確認できる配送システム及び容器を提供できる。
【図面の簡単な説明】
【００１２】
【図１】本考案の実施の形態にかかる配送システムの全体のモデルを示した概要ブロック図である。
【考案を実施するための形態】
【００１３】
以下、図面を参照して、本考案の実施例について述べる。なお、本考案の実施の形態は、以下の実施例に限定されるものではない。
【００１４】
図１は本考案の実施の形態にかかる配送システムの全体のモデルを示した概要ブロック図である。
【００１５】
配送システム１は、生産者３のスマートフォン（以下、「スマホ」という。）５と、配送者７のスマホ９と、消費者１１のスマホ１３と、管理者１５が管理する管理部１７とを備える。管理部１７は、管理用サーバ１９と、配送用サーバ２１とを有している。これらのサーバ１９，２１はクラウドコンピューティングを用いたサーバであり、ワンタイムパスワード等を用いたセキュリティが重要視されたシステム構成になっている。そして、管理用サーバ１９は管理者１５によって管理され、管理者１５は、配送用サーバ２１にも上記セキュリティ環境のもとでのアクセスも行えるようになっている。また、この配送システム１は、生産者３が生産した食品を収納して配送者７が消費者１１に届けるための容器としてのトレーサビリティタグ付きＢＯＸ２３を用いており、トレーサビリティタグ付きＢＯＸ２３には、近距離無線通信技術（NFC：Near Field Communication）が用いられていてＱＲコード（登録商標）コードが印刷されたシールが、タグとして貼られている。なお、ここで、以下も同様だが、生産者３には、一次産業の生産者だけでなく、二次産業の加工業者も含むものとする。
【００１６】
トレーサビリティタグ付きＢＯＸ２３について、さらに説明する。例えば、ハラール食品が収容される場合には、コンタミネーションが発生しないような開封チェックができるフィルムパック等が箱の中に入れられ、そのフィルムパック等の中にハラールの基準に沿った処理が施された食品が収容されている。このようなハラール処理が施されたことを認定されているマークがある場合には、その認定マークがトレーサビリティタグ付きＢＯＸ２３に貼られている。この認定マークがあり、開封チェックが可能ということで、ハラール商品を食する消費者１１は、安全且つ安心してその食品を食することがきる。さらに、安全・安心を技術的に裏付けるべく、タグ部２５がトレーサビリティタグ付きＢＯＸ２３に設けられている。すなわち、生産者３は、スマホ５を用いて、荷物情報である食品のトレーサビリティの情報を管理用サーバ１９に入力する。この際、スマホ５のアプリケーションの起動は、トレーサビリティタグ付きＢＯＸ２３のタグ部２５の近距離無線通信技術（NFC：Near Field Communication）によって行われ、ＱＲコード（登録商標）コードによって管理用サーバ１９のトレーサビリティの情報が紐付けられると同時にその書き換えが行われないようにロックがかかるようになっている。なお、タグは、ＱＲコード（登録商標）コードに限定される必要はなく、ＩＣチップ等の他のものであってもよい。
【００１７】
ここで、配送者７は、図示では単数のように示しているが、生産者３側の集荷担当者、消費者１１側の配達担当者、中継地としての配送センターと集荷担当者又は配達担当者との間の元請け運送担当者のほか、必要に応じて発生する代行者のように複数が介在することが一般的である。配送者７の集荷担当者は、スマホ９を用いて、集荷時の受け取り情報を管理用サーバ１９に入力し、集荷情報を配送用サーバ２１に入力する。この入力が行われると同時に、出荷メールが消費者のスマホ１３宛に送信される。集荷情報配送センターからは中継情報が配送用サーバ２１に入力される。配送者７の配達担当者は、スマホ９を用いて、配達情報を配送用サーバ２１に入力すると同時に、消費者１１に配達を完了すると配達完了情報について管理用サーバ１９に入力する。
【００１８】
消費者１１は、スマホ１３を用いて、配送用サーバ２１にアクセスして配送状況等の確認を行えるとともに、タグ部２５の近距離無線通信技術（NFC：Near Field Communication）によって起動されたスマホ１３内のアプリケーションによって管理サーバ１８へのアクセスも行って食品のトレーサビリティ情報（荷物情報）に直接アクセスし、それを閲覧して確認してもよく、又は、ＱＲコード（登録商標）コードによって紐付けられた配送された食品のトレーサビリティの情報（荷物情報）の閲覧を行ってその内容を確認してもよい。
【００１９】
このような配送システム１が用いられ、特に、トレーサビリティタグ付けＢＯＸ２３が用いられ、例えば、ハラール食品であっても、消費者１３は、食に施された処理を技術的に裏付けられた状態で確認でき、安全且つ安心して食することができるようになっている。さらに、上記したような認定マークが用いられれば、安全且つ安心を視認できて、容易に確認できるようなことにもなる。
【符号の説明】
【００２０】
１・・・配送システム、５，９，１３・・・スマホ、１７・・・管理部、１９・・・管理用サーバ、２１・・・配送用サーバ、２３・・・トレーサビリティタグ付きＢＯＸ、２５・・・タグ部
【図１】
0003213027.tif 000003